【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルアービトラージ（ＤＳＡ）に参加する第１の通信ネットワーク内に配置されたポリシ及び請求規則機能（ＰＣＲＦ）サーバを介してｅＮｏｄｅＢの輻輳を低減する方法であって、
前記ＰＣＲＦサーバのプロセッサにおいて、ｅＮｏｄｅＢ輻輳状態情報及び前記ｅＮｏｄｅＢに取り付けられたワイヤレスデバイスを識別する情報を含むｅＮｏｄｅＢ情報を前記ｅＮｏｄｅＢから受信し、
前記ＰＣＲＦサーバの前記プロセッサにより、取り付けられた前記ワイヤレスデバイスの第１のサブセットを前記第１の通信ネットワークへの参加者として識別し、
前記ＰＣＲＦサーバの前記プロセッサにより、取り付けられた前記ワイヤレスデバイスの第２のサブセットを、前記ＤＳＡ動作に参加する第２の通信ネットワークへの参加者として識別し、
前記ＰＣＲＦサーバの前記プロセッサにより、識別された前記第１のサブセットを一次デバイスカテゴリに分類し、
前記ＰＣＲＦサーバの前記プロセッサにより、識別された前記第２のサブセットを二次デバイスカテゴリに分類し、
前記二次デバイスカテゴリに分類された前記ワイヤレスデバイスのうち輻輳を生じる傾向があるワイヤレスデバイスがあるかどうかを判断し、
輻輳を生じる傾向があると判断された前記ワイヤレスデバイスを第１のサブカテゴリにさらに分類し、
前記二次デバイスカテゴリに分類された前記ワイヤレスデバイスのうち、データの影響を受けやすいアプリケーションを含むワイヤレスデバイスがあるかどうかを判断し、
データの影響を受けやすいアプリケーションを含むと判断された前記ワイヤレスデバイスを第２のサブカテゴリにさらに分類し、
前記二次デバイスカテゴリに分類された前記ワイヤレスデバイスのうち、遅延の影響を受けやすいアプリケーションを含むワイヤレスデバイスがあるかどうかを判断し、
遅延の影響を受けやすいアプリケーションを含むと判断された前記ワイヤレスデバイスを第３のサブカテゴリにさらに分類し、
前記ワイヤレスデバイスが分類された前記カテゴリと前記サブカテゴリに基づいて、前記取り付けられたワイヤレスデバイスの第３のサブセットを選択し、
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減することを含む、方法。
【請求項２】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、
新しいデバイスが前記ｅＮｏｄｅＢに取り付けられないようにすることをさらに含む、請求項１に記載の方法。
【請求項３】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、
前記選択されたワイヤレスデバイスによる追加のベアラの作成を阻止することをさらに含む、請求項１に記載の方法。
【請求項４】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、
前記選択されたワイヤレスデバイスの前記ｅＮｏｄｅＢでの無線ベアラアップグレードを阻止することをさらに含む、請求項１に記載の方法。
【請求項５】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、
選択されたデバイスの場所を特定し、
前記特定された場所に基づいて非輻輳ターゲットｅＮｏｄｅＢを識別し、
ハンドオーバ動作を実行して、前記選択されたデバイスを前記非輻輳ターゲットｅＮｏｄｅＢにハンドオーバすることをさらに含む、請求項１に記載の方法。
【請求項６】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、前記選択されたデバイスのベアラを変更して、前記選択されたデバイスによって消費されるビット速度を低減することをさらに含む、請求項１に記載の方法。
【請求項７】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、前記選択されたデバイスのベアラを削除して、前記選択されたデバイスによって消費される資源を解放することをさらに含む、請求項１に記載の方法。
【請求項８】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、ハンドオーバ動作を実行して、前記選択されたデバイスを前記ＰＣＲＦとは異なるネットワーク内の非輻輳ターゲットｅＮｏｄｅＢにハンドオーバすることをさらに含む、請求項１に記載の方法。
【請求項９】
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減するステップは、前記ｅＮｏｄｅＢに前記選択されたデバイスをドロップさせることをさらに含む、請求項１に記載の方法。
【請求項１０】
動的スペクトルポリシコントローラ（ＤＰＣ）サーバにおいて、第１の通信ネットワーク内の第１の動的スペクトルコントローラ（ＤＳＣ）と通信することにより、前記ＰＣＲＦサーバ及びｅＮｏｄｅＢを含む前記第１の通信ネットワーク内の割り当てに利用可能な無線周波数（ＲＦ）スペクトル資源の量を特定し、
前記ＤＰＣサーバにより、前記第１の通信ネットワークの利用可能なＲＦスペクトル資源の一部を第２の通信ネットワークのワイヤレスデバイスによるアクセス及び使用に割り当て、
前記第２の通信ネットワーク内の第２のＤＳＣサーバと通信することにより、割り当てられたＲＦスペクトル資源の使用を開始し得ることを前記第２の通信ネットワークに通知することを含むＤＳＡ動作を実行することをさらに含む、請求項１に記載の方法。
【請求項１１】
前記ｅＮｏｄｅＢのｅＮｏｄｅＢプロセッサを介してネットワーク資源使用をモニタし、
前記ｅＮｏｄｅＢプロセッサを介して前記ネットワーク資源の使用が閾値を超えるかどうかを判断し、
ネットワーク資源の使用が前記閾値を超えるとの判断に応答して、前記ｅＮｏｄｅＢに取り付けられたワイヤレスデバイスの新しいセッションの開始を制限し、
前記ｅＮｏｄｅＢへの追加のワイヤレスデバイスのハンドインを制限することをさらに含む、請求項１に記載の方法。
【請求項１２】
前記ｅＮｏｄｅＢプロセッサを介し、前記ｅＮｏｄｅＢに取り付けられた前記ワイヤレスデバイスを優先度グループに分類することをさらに含み、
前記ｅＮｏｄｅＢに取り付けられた前記ワイヤレスデバイスの新しいセッションの開始を制限するステップは、前記優先度グループに基づいて前記ワイヤレスデバイスの新しいセッションの開始を制限することを含む、請求項１１に記載の方法。
【請求項１３】
前記ｅＮｏｄｅＢプロセッサを介し、前記ｅＮｏｄｅＢに取り付けられた前記ワイヤレスデバイスのうち、同じ優先度グループに属するワイヤレスデバイスがあるかどうかを判断し、
前記ｅＮｏｄｅＢに取り付けられた前記ワイヤレスデバイスが同じ優先度グループに属するとの判断に応答して、前記ｅＮｏｄｅＢプロセッサにより、前記ｅＮｏｄｅＢ情報を前記ＰＣＲＦコンポーネントへ送信することをさらに含む、請求項１２に記載の方法。
【請求項１４】
動的スペクトルアービトラージ（ＤＳＡ）に参加する第１の通信ネットワーク内に配置されたポリシ及び請求規則関数（ＰＣＲＦ）サーバであって、プロセッサ実行可能命令を用いて、
ｅＮｏｄｅＢ輻輳状態情報及び前記ｅＮｏｄｅＢに取り付けられたワイヤレスデバイスを識別する情報を含むｅＮｏｄｅＢ情報を前記第１の通信ネットワーク内に配置されたｅＮｏｄｅＢから受信し、
取り付けられた前記ワイヤレスデバイスの第１のサブセットを前記第１の通信ネットワークへの参加者として識別し、
取り付けられた前記ワイヤレスデバイスの第２のサブセットを、前記ＤＳＡ動作に参加する第２の通信ネットワークへの参加者として識別し、
識別された前記第１のサブセットを一次デバイスカテゴリに分類し、
識別された前記第２のサブセットを二次デバイスカテゴリに分類し、
前記二次デバイスカテゴリに分類された前記ワイヤレスデバイスのうち輻輳を生じる傾向があるワイヤレスデバイスがあるかどうかを判断し、
輻輳を生じる傾向があると判断された前記ワイヤレスデバイスを第１のサブカテゴリにさらに分類し、
前記二次デバイスカテゴリに分類された前記ワイヤレスデバイスのうち、データの影響を受けやすいアプリケーションを含むワイヤレスデバイスがあるかどうかを判断し、
データの影響を受けやすいアプリケーションを含むと判断された前記ワイヤレスデバイスを第２のサブカテゴリにさらに分類し、
前記二次デバイスカテゴリに分類された前記ワイヤレスデバイスのうち、遅延の影響を受けやすいアプリケーションを含むワイヤレスデバイスがあるかどうかを判断し、
遅延の影響を受けやすいアプリケーションを含むと判断された前記ワイヤレスデバイスを第３のサブカテゴリにさらに分類し、
前記ワイヤレスデバイスが分類された前記カテゴリと前記サブカテゴリに基づいて、前記取り付けられたワイヤレスデバイスの第３のサブセットを選択し、
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減すること、
を含む動作を実行するように構成されるプロセッサを有する、ＰＣＲＦサーバ。
【請求項１５】
ｅＮｏｄｅＢと、
通信リンクを介して前記ｅＮｏｄｅと結合されたＰＣＲＦプロセッサを備えたポリシ及び請求規則機能（ＰＣＲＦ）サーバを備え、
前記ＰＣＲＦプロセッサは、プロセッサ実行可能命令を用いて、
前記第１の通信ネットワーク内に配置されたｅＮｏｄｅＢから、ｅＮｏｄｅＢ輻輳状態情報及び前記ｅＮｏｄｅＢに取り付けられたワイヤレスデバイスを識別する情報を含むｅＮｏｄｅＢ情報を受信し、
取り付けられた前記ワイヤレスデバイスの第１のサブセットを前記第１の通信ネットワークへの参加者として識別し、
取り付けられた前記ワイヤレスデバイスの第２のサブセットを、前記ＤＳＡ動作に参加する第２の通信ネットワークへの参加者として識別し、
識別された前記第１のサブセットを一次デバイスカテゴリに分類し、
識別された前記第２のサブセットを二次デバイスカテゴリに分類し、
前記二次デバイスカテゴリに分類された前記ワイヤレスデバイスのうち輻輳を生じる傾向があるワイヤレスデバイスがあるかどうかを判断し、
輻輳を生じる傾向があると判断された前記ワイヤレスデバイスを第１のサブカテゴリにさらに分類し、
前記二次デバイスカテゴリに分類された前記ワイヤレスデバイスのうち、データの影響を受けやすいアプリケーションを含むワイヤレスデバイスがあるかどうかを判断し、
データの影響を受けやすいアプリケーションを含むと判断された前記ワイヤレスデバイスを第２のサブカテゴリにさらに分類し、
前記二次デバイスカテゴリに分類された前記ワイヤレスデバイスのうち、遅延の影響を受けやすいアプリケーションを含むワイヤレスデバイスがあるかどうかを判断し、
遅延の影響を受けやすいアプリケーションを含むと判断された前記ワイヤレスデバイスを第３のサブカテゴリにさらに分類し、
前記ワイヤレスデバイスが分類された前記カテゴリと前記サブカテゴリに基づいて、前記取り付けられたワイヤレスデバイスの第３のサブセットを選択し、
前記選択されたワイヤレスデバイスに対して輻輳応答動作を実行して、前記ｅＮｏｄｅＢに取り付けられたワイヤレスデバイスが分類されたカテゴリとサブカテゴリに基づいて前記ｅＮｏｄｅＢの前記輻輳を低減することを含む動作を実行するように構成される、システム。